(57)【特許請求の範囲】
【請求項１】
クラシックギター演奏時に、クラシックギター楽器の負荷と、クラシックギター楽器姿勢保持の役務から両手が解放され、クラシックギター演奏に専念できる機能を持つクラシックギター演奏用楽器保持補助具であって、吊受け口付複数の吸盤を組み込んだ透明樹脂性軟質の塩ビ肉厚シートに、別途の首掛け用の、手動解放式留め具の付いた、長さ調整器具付吊上げ用平織り紐（図１の１、２、３、）の手動解放式留め具で接続組み合わせ、首から吊上げ使用するもので、前記塩ビ肉厚シートとは、透明樹脂性軟質の塩ビ肉厚シートを扇形状に裁断し、その面上に並べて打ち抜いた、三方の三個のポンチ穴に三個の吸盤を挿入取り付けし、そのうち、二個の吸盤頭部に、それぞれ、吊受け口（図１の４と５）を取り付けて組成を終え（図１の４，５，６，７）、この前記塩ビ肉厚シートを、目的のクラシックギター楽器の裏板面に吸着合体させてから、（図２）、首から下げた、前記吊上げ用平織り紐の手動解放式留め具（図１の３）を用い、前記塩ビ肉厚シートの吸盤吊受け口（図１の４）に接続し、前記吊上げ用平織り紐の紐先（（図１の１）を引き締め、長さ調整器具（図１の２）で長さ調整しながら、クラシックギター楽器まるごと、首から吊り上げ、着席した体側前面の演奏適宜の位置に、クラシックギター楽器を繋留保持するもので、クラシックギター演奏時のクラシックギター楽器の負荷と、クラシックギター楽器姿勢保持の役務から、両手が解放されクラシックギター演奏に専念できるこれらの課題を、前記塩ビ肉厚シートが吊受け口付複数の吸盤による重複吸盤吸引力でクラシックギター楽器裏板面に吸着合体する機能と、接続した首掛け用の前記吊上げ用平織り紐の紐先を引き締め、長さ調整器具（図１の２）で紐の長さ調整しながら吊り上げ、クラシックギター楽器を着席した体側前面の演奏適宜の位置に、首から吊上げて繋留保持する機能の、それぞれの機能を組み合わせて達成する構成を特徴とする、クラシックギター演奏用楽器保持補助具。
【発明の詳細な説明】
【技術分野】
【０００１】
本発明は、クラシックギター演奏時に用い、クラシックギター演奏を司る両手の、クラシックギター楽器の荷重負担とクラシックギター楽器姿勢保持拘束を解放し、両手を使わずに、安定したクラシックギター楽器姿勢の確保とクラシックギター楽器保持調整が出来る他、このクラシックギター演奏用楽器保持補助具は離着脱と携行が簡易で、クラシックギター演奏時の使用感の目立たない等の機能を有し、着席した体側前面の演奏適宜の位置に、クラシックギター楽器まるごと首から吊上げて係留保持する、装着型の、吊受け口付吸盤吊上げ式の、クラシックギター演奏用楽器保持補助具に関するものである。
【背景技術】
【０００２】
近代に入って、楽器全般に、エレクトロニクスの影響が始まり、シンセサイザーなどの合成音源時代を迎えるに至り、ギターもエレキ化して、大きく変質した。そうした激動の流れの中にあっても、変革することなく、美術工芸品の楽器を愛好し、従来の演奏スタイルを守り、アコーステックな弦音の響きに愛着する、いわゆる古典派のクラシックギターの存在がある。然し、長いネックで大きい共鳴胴の、華麗な仕上げの芸術品的楽器を両手で保持しながら、同時にそれぞれ音程を定め、撥弦するに当たって直面する、演奏に絡む克服し難い、物理的課題があった。
【０００３】
即ち、両手でクラシックギター楽器を保持しながら、同時に両手でそれぞれ、フレットの弦を抑え、弦を弾くことの難しさである。同じ撥弦楽器の三味線や、三線（蛇皮線）も同様の課題を抱えているが、殆どの奏者が楽器を、体の前面に、縦位置に構え、左手掌には、親指と人差し指に跨る［指伽半］を着けて、左手の棹を上下する際の、汗による指使いの障害を防いでいる。然し、その様な手立ての、全く無いクラシックギター演奏者は、厳しい修練を積み重ねてこの課題を克服し、ピアノ演奏等には思いも付かない、クラシックギター楽器を保持しながら、音程を作り、音を出す三つの障壁を、乗り越えなければならない。クラシックギター楽器を支えながらの左手の運びは、儘ならない。更に掌の汗が手の動きを妨害する等、クラシックギター演習の最初からの妨げとなる、この異質で無駄な労力の原因の、クラシックギター楽器の不安定、という根源的な欠点の解消が望まれるのである。
【０００４】
クラシックギターのオーソドックスな演奏マナーは、１．必ず椅子に腰掛けて演奏する（立ち姿勢、座位、あぐら、で演奏しない。）２．演奏のためクラシックギターを抱える時、脚を組むか、３．左右どちらかの足を足台に乗せて、クラシックギターのボデイを太腿に乗せて、右腕肘で抱える姿勢にする。等の、美しい古典的スタイルが求められている。然し、この２の姿勢は、演奏時に確たる楽器保持が難しい上、体勢が苦痛などの難点があり、３は足台の常時携行が煩わしい。次第に、両股を大きく開き、股間でクラシックギター楽器を挟む姿勢や、クラシックギター楽器を横抱き、前屈みの無粋なスタイルも見られる様になり、クラシックギターの品位や魅力も冷めて、人気が落ち、女性層に、特に疎んじられてきた。処が、この技法習得上の課題は、通常、入門者の当然の試練とみなし、練習の過程で次第に練磨克服され、上達すると消えてしまう問題、と考えられて来た。然し、このクラシックギターの、楽器を容易に確保できないことは、目的の演奏とは異質な、習得を妨げる無駄な役務に労することであり、クラシックギターを学ぶ初心者の入り口の障壁であるので、なんとか、うまく解決したい根源的な欠点であった。  
【０００５】
従来の改善策として既にいくつかの、商品開発もあり、また、技術公開の例が挙げられる。タイプ別に分類して１は、ハードタイプの例として、ギターを定位に固定する為の架台を構築し、演奏席に連結する等の据え置き型。２は、ソフトタイプの例として、ギターの躯体下辺外周に滑落防止目的の、粘質ゴム製、或いはラバホームなどの粘着シールを貼り付ける等のスリップ防止型。３は、中間タイプの、アタッチメント仕様の、太股に接地して、保持する腕木をギターのネック下部周辺位置に取り付け固定する等のユニット型。４は、その他、同様の市販商品が、ギターレスト等の品名で提供されている。然し、１、は完全固定になり物理的に充足される事になるが、これでは和琴の変形になり、ギターの持つ柔らかい雰囲気に馴染まない硬さがある。２、は若干の効果が期待できる程度で、依然課題は残る。３、は既にリサイタルで実用化されているが、バイオリンの肩当てに比べ目立ち過ぎ、視覚的に馴染まない異物感がある。等それぞれ不満があげられる。
【特許文献１】特開２００３−２３３３７０
【特許文献２】特開２９９４−２９５０５４
【特許文献３】特開平１１−２４９６４７
【特許文献４】特開２００４−１９８７３９
【特許文献５】特開２００１−０３４２６３
【特許文献６】ＷＯ２００１／０８０２１８
【発明の開示】
【発明が解決しようとする課題】
【０００６】
解決しようとする問題点は、クラシックギターを演奏する時、両手で、それぞれが、クラシックギターの楽器の保持をしながら、同時にクラシックギターの演奏に関るため、クラシックギターの楽器が不安定となり、クラシックギターの演奏が意のままにならない等、運指上において障害となる、クラシックギターの楽器の安定確保が出来ない点、である。
【課題を解決するための手段】
【０００７】
本発明は、演奏するクラシックギターの楽器を、両手を使わずに着席した体側前面の演奏適宜の位置に、首から吊上げ繋留保持し、両手の意図した運指や演奏専念を可能とするために、扇形状に裁断した透明樹脂性軟質の塩ビ肉厚シートに、吊受け口付複数の軟質吸盤を組み込み（図１の４、５、６、７）、その複数の吸盤による重複吸盤吸引力によって、前記塩ビ肉厚シートがクラシックギター楽器の裏板面に吸着合体が可能となり、これに、別途の、首掛け用の、手動解放式留め具の付いた、長さ調整器具付吊上げ用平織り紐（（図１の１、２、３、）を接続して使用するもので、前記吊上げ用平織り紐の手動解放式留め具（図１の３）を用い、クラシックギター楽器の裏板面に吸着合体した前記塩ビ肉厚シートの吸盤吊受け口（図１の４）に接続して吸着合体したそのクラシックギター楽器まるごと吊り上げ、前記吊上げ用平織り紐（（図１の１）の紐先を引き締め、長さ調整器具（図１の２）で長さ調整しながら、着席した体側前面の演奏適宜の位置に、クラシックギター楽器を首から繋留保持できる。従って、両手が完全に解放され、クラシックギターの演奏に専念できることを、最も主要な特徴とする。
【発明の効果】
【０００８】
本発明のクラシックギター演奏用楽器保持補助具は、両手が解放され演奏に専念できる最大の利点の他、疲労感が著しく改善、軽減され、その効果は初心者ほど顕著である。吊受け口付複数の吸盤を組み込んだ扇形状の透明樹脂性軟質の塩ビ肉厚シート（図１の４、５，６、７）の外縁周ヒレのプロテクター効果（クラシックギターの楽器のかど縁との擦れ損傷防止用）等により、１・クラシックギター楽器の接触、こすれ、による損傷や、痕跡残置の恐れないこと。着脱簡易でコンパクトな造りから、２・クラシックギター演奏用楽器保持補助具は携行容易、目立たず、抵抗感がないこと。３・複数の軟質吸盤仕様で、クラシックギター楽器裏板面に吸着合体した前記塩ビ肉厚シート（図１の４、５，６、７）の脱落予防し、クラシックギターの演奏時のクラシックギター楽器の安定保持を確保したこと。４・クラシックギターの楽器に全く加工変形せずに現状のままで、クラシックギター演奏時にクラシックギター楽器を、着席した体側前面の演奏適宜の位置に両手を使わずに繋留保持する課題を、吊受け口付複数の軟質吸盤を組み込んだ扇形状の透明樹脂性軟質の塩ビ肉厚シート（図１の４、５、６、７）と、別途の、首掛け用の、手動解放式留め具の付いた、長さ調整器具付吊上げ用平織り紐（（図１の１、２、３、）を接続して用いる方式で保持目的を達成。５・前記塩ビ肉厚シートと、前記吊上げ用平織り紐との組み合わせ機能により、クラシックギターの演奏時のクラシックギター楽器保持という労務から両手が解放され、クラシックギター演奏が楽しめ、クラシックギター演奏技法を習得し易くする、大きい利点がある。  
【発明を実施するための最良の形態】
【０００９】
クラシックギターの楽器演奏する時、現状のクラシックギター楽器のままで、両手を使わずに着席した体側前面の演奏適宜の位置に、安定した姿勢にクラシックギター楽器を保持し、クラシックギター演奏に専念できる両手の解放という目的を達成する為、第一に、吊受け口付複数の吸盤を組み込んだ扇形状の透明樹脂性軟質の塩ビ肉厚シート（図１の４、５，６、７）を組成し、複数の吸盤による重複吸盤吸引力で、目的のクラシックギター楽器裏板面に吸着合体する確実性を強化した。第二に、別途の、首掛け用の、手動解放式留め具の付いた、長さ調整器具付吊上げ用平織り紐（図１の１、２、３、）を作成し、着脱容易で連結確実な手動式留め具と、手動で容易に長さ調整できる調整器具を付けた吊上げ紐に調製した。実施するには、前記塩ビ肉厚シートを目的のクラシックギター楽器裏板面に吸着合体させ、その吸盤吊受け口に前記吊上げ用平織り紐の手動解放式留め具を用いて、前記吊上げ用平織り紐を接続し、その平織り紐の紐先を（図１の１）引き締めて、長さ調整しながら吸着合体したクラシックギター楽器まるごと、首から吊り上げ、着席した体側前面の演奏適宜の位置に繋留保持を可能とした。拠って、クラシックギターの楽器とそのイメージを損なわずに、クラシックギターの演奏時のクラシックギター楽器の安定保持を実現した。
【実施例１】
【００１０】
図２は、本発明物の吊受け口付複数の吸盤を組み込んだ扇形状の透明樹脂性軟質の塩ビ肉厚シート（図１の４、５，６、７）に接続した、別途の、首掛用の、手動解放式留め具の付いた、長さ調整器具付吊上げ用平織り紐（図１の１、２、３、）の実施例の見取り図である。前記塩ビ肉厚シートを、目的のクラシックギター楽器裏板面（肩の円縁周辺部位鏡面部）に添付圧着、吸着固定し、前記吊上げ用平織り紐の手動解放式留め具を用い、吸着固定した前記塩ビ肉厚シートの吸盤吊受け口に接続し、首から、クラシックギター楽器まるごと吊り上げ、前記吊上げ用平織り紐の紐先を（図１の１）引き締めて、長さ調整しながら着席した体側前面の演奏適宜の位置にクラシックギター楽器を首から吊り上げ繋留保持する。両手はすべて、クラシックギター演奏に専念でき、自由な演奏姿勢が可能で、無駄なエネルギーロスが無い。
【００１１】
本発明物の機能を、仕様が吸盤三個のタイプに基づき、図１で説明する。
例１  首掛用の手動解放式留め具の付いた、長さ調整器具付吊上げ用平織り紐の、手動解放式留め具を４の吊受け口に接続する。
例２  首掛用の手動解放式留め具の付いた、長さ調整器具付吊上げ用平織り紐の、手動解放式留め具を５の吊受け口に接続する。
例３  首掛用の手動解放式留め具の付いた、長さ調整器具付吊上げ用平織り紐の、手動解放式留め具を５の吊受け口を通して、４の吊受け口に接続する。
効果は、例１は首両端と、吸盤吊受け口の三点支持となり、重心が左に寄りクラシックギターの楽器が、左端が立ち上がり、例２は重心が右に寄りクラシックギターの楽器が横位置になり、それぞれ、首と吸盤吊受け口との三角支点となり、クラシックギターの楽器が浮動廻旋し、保持者のスエー（体の揺らぎ）にフイット（順応）する利点があり、例３は吸盤吊受け口４、吊受け口５と、首両端との四点支持となり、クラシックギターの楽器姿勢を安定持続する効果が生まれる。又、意図的に、前記塩ビ肉厚シートを、右側、或いは左側の位置に寄せて張付け調整する操作ができる。                                                     
【００１２】
クラシックギターの楽器の姿勢保持は演奏者によって違いがあり、左上がりの斜めを中心に、それぞれ、好みにより傾斜角度の差異がみられる。エレキや、フオークギターの演奏スタイルは、殆ど横位置が主流である。然し、クラシックギターの巨匠と言われた演奏家達は、縦位置に近い、いわば、上半身に平行に、左肩に寄せてクラシックギターを抱えて演奏している。この違いは、前者が、和音コード主体の伴奏が、主目的であるのに対し、後者は、ソロ演奏運指上、フレットの指板（ネック、棹）が左手の可動範囲内にある事、即ち、手首を返して押さえる６弦の１フレットから、１２フレット迄が容易自由に、指運びのできる、手の届く位置にある事が求められるからである。本発明は、クラシックギター楽器のネック基部の、ボデイの肩を中心にリフトされるので、着席した体の前面に、丁度この位置に定着することが出来る。体勢はリラックスした姿勢で、自由にクラシックギター演奏でき、脚は組んでも組まなくとも、足台は有っても無くてもよく、極端にあぐらでも、寄り掛っても、演奏に専念できるクラシックギターの楽器姿勢保持が、可能である。
【産業上の利用可能性】
【００１３】
軟質吸盤複数をブロック化して吸引力集約強化が図られたので、鏡面部があれば何でも吸着牽引リフトが可能であり、他の器物や楽器等の利用可能である。また、鏡面部の無い場合は、一部分に粘着式鏡面シートの貼り付け補充策による利用用途もある。
【図面の簡単な説明】
【００１４】
【図１】本発明物の構成部材の見取り図である。上段から１  首掛け用の手動解放式留め具の付いた、長さ調整器具付吊上げ用平織り紐（図１の１，２，３）２  三個の吸盤を組み込んだ扇形状の透明樹脂性軟質の塩ビ肉厚シート（図１の４、５、６、７）３  吊受け口無しの吸盤（（図１の６）４  吊受け口付吸盤（図１の４）５  吊受け口付吸盤（図１の５）６  首掛け用の手動解放式留め具の付いた長さ調整器具付吊上げ用平織り紐の手動解放式留め具（図１の３）
【図２】実施（接続した）方法を示した説明図である。
【符号の説明】
【００１５】
１  首掛け用の手動解放式留め具の付いた、長さ調整器具付吊上げ用平織り紐
２  首掛け用の手動解放式留め具の付いた、長さ調整器具付吊上げ用平織り紐の長さ調整器具
３  首掛け用の手動解放式留め具の付いた、長さ調整器具付吊上げ用平織り紐の手動解放式留め具
４  吊受け口付吸盤
５  吊受け口付吸盤                                                                        
６  吊受け口無しの吸盤 
７  三個の吸盤を組み込んだ扇形状の透明樹脂性軟質の塩ビ肉厚シート
【図１】
0004221528.tif 000002
【図２】
0004221528.tif 000003